(57)【特許請求の範囲】
【請求項１】
ガラス外囲器と、放電を発生させる手段と、前記外囲器の内部に密封された水銀及び不活性ガスから成る放電維持充填物質と、前記ガラス外囲器の内側を被覆する蛍光体含有層とを具備し、前記蛍光体含有層は２種類以下の蛍光体を含有し、前記蛍光体含有層は第１の蛍光体と、第２の蛍光体との配合物を含有し、前記第１の蛍光体は６１０から６４５nmの最大放出帯域を有し且つ少なくとも５０nmの最大半値幅を有し、前記第２の蛍光体は４６５から４９５nmの最大放出帯域を有し且つ少なくとも５０nmの最大半値幅を有し、２５００〜４２００Kの色温度を有し、
前記第１の蛍光体は１＞x＞０.７、y＜０.３、０＜z＜０.２、q＜０.１及びx＋y＋z＋q／３は約１とする(Srx,Mgy,Caz)3(PO4)2:Snq2+及びGdMgB5O10:Ce3+,Mn2+から成る群から選択され、且つ前記第２の蛍光体はCa5(PO4)3F:Sb3+、(Ba,Ca)5(PO4)3Cl:Eu2+、MgWO4及びCaWO4から成る群から選択される水銀蒸気放電ランプ。
【請求項２】
前記第１の蛍光体は６１５から６４０nmの最大放出帯域を有し、且つ前記第２の蛍光体は４７０から４９０nmの最大放出帯域を有する請求項１記載の水銀蒸気放電ランプ。
【請求項３】
前記第１の蛍光体は６２５から６３５nmの最大放出帯域を有し、且つ前記第２の蛍光体は４７５から４８５nmの最大放出帯域を有する請求項１記載の水銀蒸気放電ランプ。
【請求項４】
前記第２の蛍光体はCa5(PO4)3F:Sb3+である請求項１記載の水銀蒸気放電ランプ。
【請求項５】
前記第２の蛍光体はx＜０.１とするCa5-x(PO4)3F:Sbx3+である請求項１記載の水銀蒸気放電ランプ。
【請求項６】
前記水銀蒸気放電ランプは２６００〜３３００Kの色温度を有する請求項４記載の水銀蒸気放電ランプ。
【請求項７】
前記水銀蒸気放電ランプは８０〜９６のRaを有する請求項４記載の水銀蒸気放電ランプ。
【請求項８】
前記ガラス外囲器は、前記水銀蒸気放電ランプを相当量の紫外線放射が透過するのを阻止するスリーブにより被覆されている請求項１記載の水銀蒸気放電ランプ。
【請求項９】
前記ガラス外囲器は、前記水銀蒸気放電ランプを紫外線放射の大半が透過するのを阻止するプラスチックスリーブにより被覆されている請求項４記載の水銀蒸気放電ランプ。
【請求項１０】
前記第１の蛍光体及び前記第２の蛍光体は、それぞれ、少なくとも７０nmの最大半値幅を有する請求項１記載の水銀蒸気放電ランプ。
【請求項１１】
前記第１の蛍光体及び前記第２の蛍光体は、それぞれ、少なくとも１００nmの最大半値幅を有する請求項１記載の水銀蒸気放電ランプ。
【請求項１２】
前記水銀蒸気放電ランプは８４〜９４のRaを有する請求項４記載の水銀蒸気放電ランプ。
【請求項１３】
肉を照明する方法において、ガラス外囲器と、放電を発生させる手段と、前記外囲器の内部に密封された水銀及び不活性ガスから成る放電維持充填物質と、前記ガラス外囲器の内側を被覆する蛍光体含有層とを具備し、前記蛍光体含有層は２種類以下の蛍光体を含有し、前記蛍光体含有層は第１の蛍光体と、第２の蛍光体との配合物を含有し、前記第１の蛍光体は６１０から６４５nmの最大放出帯域を有し且つ少なくとも５０nmの最大半値幅を有し、前記第２の蛍光体は４６５から４９５nmの最大放出帯域を有し且つ少なくとも５０nmの最大半値幅を有し、２５００〜４２００Kの色温度を有し、
前記第１の蛍光体は１＞x＞０.７、y＜０.３、０＜z＜０.２、q＜０.１及びx＋y＋z＋q／３は約１とする(Srx,Mgy,Caz)3(PO4)2:Snq2+及びGdMgB5O10:Ce3+,Mn2+から成る群から選択され、且つ前記第２の蛍光体はCa5(PO4)3F:Sb3+、(Ba,Ca)5(PO4)3Cl:Eu2+、MgWO4及びCaWO4から成る群から選択される水銀蒸気放電ランプによって前記肉を照明する過程から成る方法。
【発明の詳細な説明】
【０００１】
【発明の属する技術分野】
本発明は蛍光灯に関し、特に、食料品店、精肉店及び食品、特に肉が陳列されているその他の場所において食品を照明するのに適する蛍光灯に関する。
【０００２】
【従来の技術】
現在、食料品店、精肉店、食品が陳列されているその他の店などで使用するための特殊な蛍光灯が市場に出ている。この市場の要求を満たす蛍光灯は紫外線の放出が少なく、通常はスペクトルの赤色領域で大量の放射を有する。赤色領域での大量の放射は、６５０nmの付近の狭い帯域で放出するマンガンによって活性化されるフッ化ゲルマニウム酸マグネシウム及び／又は６１１nmの付近の狭い帯域で放出するユーロピウムによって活性化される酸化イットリウムなどの蛍光体により実現される。これらの蛍光体は高価であるという欠点を有する。更に、このような蛍光灯は赤色を強調する一方で、その他の点ではCIE演色性指標により測定した場合に自然な演色性を示さない。
【０００３】
【発明が解決しようとする課題】
食品の色を代表的なハロゲン化蛍光体酸塩ランプ及び３色ランプより鮮やかに且つ目を引くように表し、しかも、赤色を不自然に見せたり、より優勢に見せたりすることなく高い演色性を示すような蛍光灯が必要とされている。
【０００４】
また、まれにしか入手できない蛍光体又は高価な蛍光体を使用せずに食品に所望の顧客色効果を与えることができるような蛍光灯が必要とされている。本発明で使用される２種類の好ましい蛍光体である(Sr,Mg,Ca)3(PO4)2:Sn2+（尚、Mg及び／又はCaはゼロであっても良いことに注意する）及びCa5(PO4)3F:Sb3+は共に一般的であり、それほど高価ではない。
【０００５】
【課題を解決するための手段】
水銀蒸気放電ランプはガラス外囲器と、放電を発生させる手段と、前記外囲器の内部に密封された水銀及び不活性ガスから成る放電維持充填物質と、前記ガラス外囲器の内側を被覆する蛍光体含有層とを具備し、前記蛍光体含有層は２種類以下の蛍光体を含有し、前記蛍光体含有層は第１の蛍光体と、第２の蛍光体との配合物を含有し、前記第１の蛍光体は６１０から６４５nmの最大放出帯域を有し且つ少なくとも５０nmの最大半値幅を有し、前記第２の蛍光体は４６５から４９５nmの最大放出帯域を有し且つ少なくとも５０nmの最大半値幅を有する。
【０００６】
【発明の実施の形態】
特に指示又は明示されていない限り、ここで使用する用語「部」は重量部であり、「パーセント」は重量パーセントである。５〜２５のような好ましい範囲が示されている場合、それは少なくとも５であるのが好ましく、且つそれとは別個に独立して好ましくは２５以下であることを意味している。色温度はCCTである。
【０００７】
図１は、当該技術分野においては一般に良く知られている代表的な低圧水銀蒸気放電蛍光灯１０を示す。蛍光灯１０は、横断面が円形である透明で、光を透過するガラス管、すなわち、外囲器１２を有する。ガラス外囲器の内面には、本発明による蛍光体含有層１４が設けられている。
【０００８】
蛍光灯はその両端部に装着された口金２０により密封されており、口金２０には一対の互いに離間した電極構造１８（放電を発生させるための手段である）が装着されている。水銀及び不活性ガスから成る放電維持充填物質２２がガラス管の内部に密封されている。この不活性ガスは、通常、低圧のアルゴン又はアルゴンと他の希ガスとの混合物であり、少量の水銀と組み合わされると、低蒸気圧動作モードで蛍光灯を動作させる。
【０００９】
蛍光体含有層１４は低圧水銀蒸気放電ランプで利用されるのが好ましい。当該技術分野では知られているような電極を有する蛍光灯、並びに放電を発生させる手段が高周波数電磁エネルギー放射を引き起こす構造であるような、当該技術分野で知られている電極のない蛍光灯において蛍光体含有層を使用できるであろう。
【００１０】
蛍光灯は、食品の腐敗を速めると考えられている蛍光灯１０からの紫外線放射の半分以上、又はその大半、又はその相当な量、あるいはそのほぼ全てを吸収するか、又はその他の方法で透過を阻止するプラスチック（好ましくはポリカーボネート）スリーブ２４で被覆されているのが好ましい。そのようなスリーブ２４は当該技術分野では知られており（本明細書にも参考として内容が取り入れられている米国特許第５,７２９,０８５号及び第５,１７３,６３７号を参照）、General Electric CompanyよりCov−R−Guardの商品名で市販されている。スリーブ２４は、食品を収納した冷凍庫の上方に取り付ける間に起こるような蛍光灯の落下又は破損を生じた場合の保護手段としても機能する。
【００１１】
蛍光体含有層１４は号外技術分野では一般に良く知られている。本発明では、蛍光体含有層は１つしかない。蛍光体含有層１４は２種類、わずか２種類の蛍光体の配合物である。第１の蛍光体は、ピーク又は最大放出帯域が６１０から６４５nm、より好ましくは６１５から６４０nm、更に好ましくは６２５から６３５nm、一層好ましくは約６２８nmの放出帯域を有し且つ少なくとも５０nm、より好ましくは少なくとも７０nm、更に好ましくは少なくとも８５nm、より好ましくは少なくとも１００nm、一層好ましくは約１２０nmの最大半値幅を有する広帯域赤色放出蛍光体である。第２の蛍光体は、ピーク又は最大放出帯域が４６５から４９５nm、より好ましくは４７０から４９０nm、更に好ましくは４７５から４８５nm、一層好ましくは約４８０nmの放出帯域を有し且つ少なくとも５０nm、より好ましくは少なくとも７０nm、更に好ましくは少なくとも８５nm、より好ましくは少なくとも１００nm、一層好ましくは少なくとも１２０nmの最大半値幅を有する広帯域青−緑色放出蛍光体である。赤色蛍光体は好ましくは(Sr,Mg,Ca)3(PO4)2:Sn2+、より好ましくは(Srx,Mgy,Caz)3(PO4)2:Snq2+（尚、１＞x＞０.７、y＜０.３、z＜０.２、q＜０.１及びx＋y＋z＋q／３は約１である）であるが、GdMgB5O10:Ce3+,Mn2+(CBM)はそれほど好ましくない。青−緑色蛍光体は好ましくはCa5(PO4)3F:Sb3+、より好ましくはCa5-x(PO4)3F:Sbx3+（尚、x＜０.１である）であるが、(Ba,Ca)5(PO4)3Cl:Eu2+はそれほど好ましくはなく、MgWO4又はCaWO4はそれほど好ましくはない。赤色蛍光体及び青−緑色蛍光体は、蛍光灯が好ましくは２５００〜４２００K、より好ましくは２６００〜３３００K、更に好ましくは２７００〜３０００Kの色温度（CCT）を有するように配合される。蛍光灯は好ましくは８０〜９６、より好ましくは８４〜９４、更に好ましくは８５〜９２、一層好ましくは８７〜９０、好ましくは少なくとも８５、８６、８７、８８、８９及び／又は９０のRaを有する。また、蛍光体含有層１４は、当該技術分野では知られているように、（蛍光体の総重量に基づいて）１２重量パーセント程度の少量のアルミナを含有しているのが好ましい。微細に粉砕されたアルミナは接着剤として作用する。
【００１２】
好ましい蛍光体の種類及び好ましい配合物の特性を以下の表に示す。「蛍光体」の欄の下方に示されている「red」は(Sr0.87,Mg0.12)3(PO4)2:Sn0.042+を表し、「bl‐grn」はCa4.96(PO4)3F:Sb0.043+を表す。「App.Rel.wts.」は２種類の蛍光体の近似相対重量を表す。
【００１３】
【表１】
0003921365.tif 000002
【００１４】
【表２】
0003921365.tif 000003
【００１５】
本発明の蛍光灯のRa、R9、R10、R13及びR14の値は表に記載されているそれぞれの値のうちいずれかの間にあるのが好ましく、また、色温度、x及びyの値は表に記載されているそれぞれの値のうちいずれかの間にあるのが好ましい。２種類の蛍光体は、それらの蛍光体の配合物の重量パーセントが表に記載されているそれぞれの値のうちいずれかの間にあるように配合されるのが好ましい。例えば、蛍光体の配合物の割合は赤色蛍光体が好ましくは５７〜８３、より好ましくは６４〜７９、更に好ましくは７４〜７９重量パーセント、青−緑色蛍光体が好ましくは１７〜４３、より好ましくは２１〜３６、更に好ましくは２１〜２６重量パーセントであるが、ロットごとのばらつき、粒子の研磨サイズ又は粒径の微細度、蛍光体の品質、又は使用すべき蛍光体の種類によってこれらの重量パーセントの値が変わる場合もありうることは良く知られている。
【００１６】
本発明の蛍光灯においては、食料品、肉類、魚類、青果、パン及びその他の食品類の高演色性は、一方は赤色領域、他方は青−緑色領域の２つの広帯域放出を使用することにより実現される。これら２つの放出はあらゆる色に対してすぐれた演色性を有するスペクトルを形成するように均衡を調整される。緑色及びオレンジ色の放出は食品の鮮やかな色合いを妨げるので、この配合物では減少又は回避されている。緑色の放出がないため、蛍光灯の色は黒体軌跡の十分に下方になることを目標としている。CIE演色指標により測定すると、本発明は全般的に非常にすぐれた演色性を示す。その結果、全ての色は白熱灯光源又は昼光の下で見るときと同じように、よりリアリティをもって表されることになる。これにより、食品は、実際には色をひずませ且つ食肉を普通より赤く見せる赤色の優越知覚を伴わずに照明される。
【００１７】
次の実施例は本発明の様々な面を更に示す。７８重量パーセントの(Sr0.87,Mg0.12)3(PO4)2:Sn0.042+と、２２重量パーセントのCa4.96(PO4)3F:Sb0.043+を配合した蛍光体を使用し且つ蛍光体含有層１４に更に１.２重量パーセント（蛍光体の総重量に基づく）のアルミナを含有させて、４０T１２蛍光灯を製造した。蛍光灯の色温度は２８５４K、x＝０.４２６、y＝０.３６６，Ra＝９０、R9＝７０、R10＝８７、R13＝９４、R14＝９５及びルーメン＝１９００であった。蛍光灯を食料品店の肉売り場に取り付けた。ターゲットとして選定した人々は、いくつかの標準のハロゲン化蛍光体酸塩ランプ及び３蛍光体ランプによる照明と比較して、この実施例の蛍光灯により照明された肉及びその他の食品の演色性がすぐれていると報告した。
【００１８】
本発明を好ましい一実施例を参照して説明したが、本発明の各要素について、本発明の範囲から逸脱せずに様々な変更を実施しうること及び等価の要素を代用して差し支えないことは当業者には理解されるであろう。更に、特定の状況又は材料を本発明の本質的範囲から逸脱することなく本発明の教示に適応させるために数多くの変形を実施できるであろう。従って、本発明は本発明を実施するために考えられる最良の態様として開示された特定の実施例には限定されず、本発明は特許請求の範囲の範囲内に入るあらゆる実施例を包含するものとする。
【図面の簡単な説明】
【図１】  本発明による蛍光灯の部分断面概略図。
【符号の説明】
２０…低圧水銀蒸気放電蛍光灯、１２…外囲器、１４…蛍光体含有層、１８…電極構造、２０…口金、２２…放電維持充填物質、２４…プラスチックスリーブ
【図１】
0003921365.tif 000004